(57)【特許請求の範囲】
【請求項１】
光源と、当該光源から出射される光束を画像情報に応じて光学像を形成する電気光学装置と、この電気光学装置で形成された画像を拡大投写する投写レンズと、外部の空気を本体内部に吸入するかまたは本体内部の空気を外部に排出するためのファンと、前記本体を覆う外装ケースとを備えた投写型表示装置であって、
前記光源は、光源交換蓋を介して前記本体に対して着脱可能とされ、
前記光源交換蓋は、前記外装ケースの一部を構成してなり、
この光源交換蓋には、空気を吸入するかまたは排出するための通気口が設けられ、かつ前記ファンが一体に取り付けられていることを特徴とする投写型表示装置。
【請求項２】
光源と、当該光源から出射される光束を画像情報に応じて光学像を形成する電気光学装置と、この電気光学装置で形成された画像を拡大投写する投写レンズと、外部の空気を本体内部に吸入するかまたは本体内部の空気を外部に排出するためのファンと、前記本体を覆う外装ケースとを備えた投写型表示装置であって、
前記光源は、光源交換蓋を介して前記本体に対して着脱可能とされ、
前記光源交換蓋は、前記外装ケースの側面の一部を構成してなり、
この光源交換蓋には、空気を吸入するかまたは排出するための通気口が設けられ、かつ前記ファンが一体に取り付けられていることを特徴とする投写型表示装置。
【請求項３】
請求項１または請求項２に記載の投写型表示装置において、前記光源交換蓋が断熱材料で形成され、この光源交換蓋を除く前記外装ケースが金属製であることを特徴とする投写型表示装置。
【請求項４】
請求項１〜３のいずれかに記載の投写型表示装置において、前記本体内に設けられた電源側のコネクタと前記光源側のコネクタとの挿抜方向は、当該光源の前記本体に対する着脱方向と同じであることを特徴とする投写型表示装置。
【請求項５】
請求項１〜４のいずれかに記載の投写型表示装置において、前記ファンへの電力供給ラインは、前記光源交換蓋の開閉に応じて電気的に遮断導通されることを特徴とする投写型表示装置。
【請求項６】
請求項１〜請求項４のいずれかに記載の投写型表示装置において、前記ファンには、前記光源交換蓋とは反対側にファンガードが設けられていることを特徴とする投写型表示装置。
【発明の詳細な説明】
【０００１】
【発明の属する技術分野】
本発明は、光源と、その光源から出射される光束を画像情報に応じて光学像を形成する電気光学装置と、この電気光学装置で形成された画像を拡大投写する投写レンズと、外部の空気を本体内部に吸入するかまたは本体内部の空気を外部に排出するためのファンと、前記本体を覆う外装ケースとを備えた投写型表示装置に関する。
【０００２】
【背景技術】
従来より、光源を有する光源ユニットと、その光源から出射される光束を画像情報に応じて光学像を形成する電気光学装置と、この電気光学装置で形成された画像を拡大投写する投写レンズとを備えた投写型表示装置が知られている。
【０００３】
このような投写型表示装置は、会議、学会、展示会等でのマルチメディアプレゼンテーションに広く利用される。
【０００４】
ところで、投写型表示装置は、プレゼンテーション用の会議室等に設置された状態で維持されることもあるが、必要に応じて持ち込まれたり、終了後に他の場所に移して保管する場合もある。従って、持ち運びを容易にするために、投写型表示装置の小型化が促進されている。
【０００５】
また、投写型表示装置による表示画面の視認性を向上するために、光源の高輝度化が促進されている。
【０００６】
このような小型化、光源の高輝度化が促進された投写型表示装置においては、小型化に伴う装置内部の構成部品の密集化、高輝度化に伴う装置内部の温度上昇の観点から、投写型表示装置の内部をいかに効率よく冷却するかが問題となる。特に、光束が出射される光源は、メタルハライドランプやキセノンランプ等のアーク放電灯などで構成されるが、投写型表示装置の構成部品の中では最も高温になり易く、この光源を効率よく冷却することが重要である。従って、従来の投写型表示装置では、冷却用の空気を吸入または排出するためのファンを光源に近接配置し、より多くの冷却空気で光源を確実に冷却できるようにしていた。
【０００７】
一方、光源には寿命があるため、その交換が必要となる。従来、光源の交換作業においては、外装ケースの一部に光源交換蓋を設けておき、この光源交換蓋を開けた後に、光源を含む光源ユニットごと内部から取り出していた。
【０００８】
【発明が解決しようとする課題】
しかしながら、光源交換蓋を開けて光源を取り出せるようにした場合には、他の部品を光源の交換を妨げないように配置する必要があるので、光源周りの部品配置に制限が生じていた。
【０００９】
すなわち、光源の周辺に配置される部品としては、前述のファンがあるが、光源の周辺をファン以外の他部品の配置スペースとして有効に利用することは困難であり、装置を小型化するうえで問題になっていた。
【００１０】
また、小型化を優先するあまりに、他部品を光源周辺に配置してしまう場合もあるが、このような場合には、光源交換蓋を外した後、他部品を外し、その後に光源を交換する必要が生じるなど、交換作業に手間がかかるという問題がある。
【００１１】
本発明の目的は、光源を容易に交換できるとともにに、効率よく冷却でき、かつ装置の小型化を促進できる投写型表示装置を提供することにある。
【００１２】
【課題を解決するための手段】
本発明に係る投写型表示装置は、光源と、その光源から出射される光束を画像情報に応じて光学像を形成する電気光学装置と、この電気光学装置で形成された画像を拡大投写する投写レンズと、外部の空気を本体内部に吸入するかまたは本体内部の空気を外部に排出するためのファンと、前記本体を覆う外装ケースとを備えた投写型表示装置であって、前記光源は、前記外装ケースの一部を構成する光源交換蓋を介して前記本体に対して着脱可能とされ、この光源交換蓋には、空気を吸入するかまたは排出するための通気口が設けられ、かつ前記ファンが一体に取り付けられていることを特徴とするものである。
【００１３】
このような本発明によれば、光源に元々近接配置されるファンが光源交換蓋に一体に取り付けられているため、光源交換蓋を開けるだけで、これによって生じる空間を通して光源を容易に着脱できる。また、装置内部においては、光源を交換するための専用空間を別途確保する必要がないため、光源周辺にファン以外の他の部品を近接配置でき、配置効率を向上させて装置をより小型化できる。また、光源交換蓋を閉めた状態では、従来と同様にファンが光源に近接するから、光源を効率よく冷却できる。以上により、前記目的が達成される。
【００１４】
なお、光源交換蓋は、本体や外装ケースから完全に外れることで開閉されるものであってもよく、本体や外装ケースに回動自在に支持されて開閉するものであってもよい。
【００１５】
以上の投写型表示装置において、光源交換蓋を外装ケースの側面に設けることが望ましい。
【００１６】
表示画面の輝度を上げるために複数の投写型表示装置を重ねて（スタックさせて）用いることがある。このような場合、光源交換蓋が外装ケースの上面や下面に設けられていると、一方の投写型表示装置の光源を交換する際に、光源交換蓋の開閉が他方の投写型表示装置に妨げられることがある。従って、重ねられた各投写型表示装置を一旦分ける必要があるなど、その作業や、再度重ねた後の種々の調整作業に手間がかかるという問題がある。
【００１７】
しかし、本発明では、光源交換蓋を外装ケースの側面に設けるので、各投写型表示装置を重ねた状態で光源交換蓋を開閉でき、光源の交換作業を容易に行える。
【００１８】
また、本発明の投写型表示装置では、前記光源交換蓋が断熱材料で形成され、この光源交換蓋を除く前記外装ケースが金属製であることが好ましい。
【００１９】
このような場合には、光源交換蓋が断熱性を有することになるので、取り扱い上の安全性から、金属製にした場合に比べてより高温となる箇所に用いることができる。このため、光源交換蓋に取り付けるファンとしては、吸気用のファンのみならず、より高温になり易い排気用のファンを取り付けることもできる。
【００２０】
一方、光源交換蓋を除く外装ケースを金属製とすることにより、外装ケース全体の剛性を大きくできる。
【００２１】
さらに、本発明の投写型表示装置では、前記本体内に設けられた電源側のコネクタと前記光源側のコネクタとの挿抜方向は、当該光源の前記本体に対する着脱方向と同じであることが好ましい。
【００２２】
このような場合には、光源の着脱と各コネクタの挿抜とを同時に行えるので、光源と電源との電気的な接続を容易かつ迅速に行える。
【００２３】
そして、本発明の投写型表示装置では、前記ファンへの電力供給ラインは、前記光源交換蓋の開閉に応じて電気的に遮断導通されることが好ましい。
【００２４】
すなわち、光源交換蓋を開けると同時にファンへの電力供給ラインが遮断されるので、光源の交換作業中に誤ってファンが作動するのを確実に防止できる。
【００２５】
また、以上において、前記ファンには、前記光源交換蓋とは反対側にファンガードを設けてもよく、光源の交換作業中（とりわけ光源交換蓋の開閉中）の安全性が向上する。
【００２６】
【発明の実施の形態】
以下、本発明の実施の一形態を図面に基づいて説明する。
【００２７】
（１）装置の全体構成
図１、図２には、本実施形態に係る投写型表示装置１の概略斜視図が示され、図１は上面側から見た斜視図、図２は下面側から見た斜視図である。
【００２８】
投写型表示装置１は、光源としての光源ランプから出射された光束を赤（Ｒ）、緑（Ｇ）、青（Ｂ）の三原色に分離し、これらの各色光束を電気光学装置を構成する液晶パネルを通して画像情報に対応させて変調し、変調した後の各色の変調光束をプリズム（色合成光学系）により合成して、投写レンズ６を介して投写面上に拡大表示する形式のものである。投写レンズ６の一部を除いて、各構成部品は外装ケース２の内部に収納されている。
【００２９】
（２）外装ケースの構造
外装ケース２は、基本的には、装置上面を覆うアッパーケース３と、装置底面を構成するロアーケース４と、背面部分を覆うリアケース５（図２）とから構成され、リアケース５が樹脂製である他はマグネシウム等の金属製である。
【００３０】
図１に示されるように、アッパーケース３の上面において、その前方側の左右の端には、スピーカ用の多数の連通孔２５Ｒ、２５Ｌが形成されている。また、これらの連通孔２５Ｒ、２５Ｌ間には、投写型表示装置１の画質等を調整するための操作パネル６０が設けられている。さらに、アッパーケース３の前面の向かって右上部分には、図示略のリモートコントローラからの光信号を受信するための受光部７０が設けられている。
【００３１】
図２に示されるように、ロアーケース４の底面の略中央には、装置内部を冷却する冷却空気を取り入れるための空気取入口２４０が設けられている。空気取入口２４０は、樹脂製のフィルタ交換蓋２４１に設けられており、このフィルタ交換蓋２４１をロアーケース４の側面側から着脱することで、内部のフィルタを交換することが可能である。
【００３２】
また、ロアーケース４の底面には、その前端の左右の角部にフット３１Ｒ、３１Ｌが設けられ、後端の略中央部にフット３１Ｃが設けられている。尚、フット３１Ｒ、３１Ｌの上下の進退量を調整することによって、表示画面の傾きを変更することが可能である。
【００３３】
リアケース５には、図２に示されるように、外部電力供給用のＡＣインレット５０や各種の入出力端子群５１が配置され、これらの入出力端子群５１に隣接して、装置内部の空気を排出する通気口としての排気口１６０が形成されている。そして、このリアケース５にも、アッパーケース３と同様に受光部７０が設けられている。
【００３４】
（３）装置の内部構造
図３には、投写型表示装置１の内部構造が示されている。
【００３５】
この図に示されるように、装置１の内部には、投写レンズ６の一側方に配置された電源としての電源ユニット７、電源ユニット７の後方に配置された光源ユニットとしての光源ランプユニット８、光学系を構成する光学ユニット１０、ユニット１０内の電気光学装置９２５を駆動するドライバーボード（図示せず）、および装置１全体を制御するメインボード（図示せず）などが収容されている。
【００３６】
電源ユニット７は、ＡＣインレット５０からの電力を変圧して光源ランプユニット８や、ドライバーボード、メインボード、電気光学装置９２５の下方または上下両方に配置された吸気ファン（図示せず）、および光源ランプユニット８０の後方に配置された排気ファン１６などに供給するものであり、電源フィルタ、トランス（変圧器）、整流回路、平滑回路、電圧安定回路等が形成された電源回路基板の他、光源ランプユニット８の光源ランプ１８１を駆動するためのランプ駆動基板等を備えている。
【００３７】
光源ランプユニット８は、投写型表示装置１の光源部分を構成するものであり、図４にも示されるように、光源ランプ１８１およびリフレクタ１８２からなる光源装置１８３と、この光源装置１８３を収納するランプハウジング１８４（図６）とを有している。このような光源ランプユニット８は、前述した吸気ファンからの冷却空気や、外装ケース２と投写レンズ６との間の隙間から吸引される冷却空気で冷却されるが、冷却空気は、先ず、吸引された直後に電気光学装置９２５および電源ユニット７等を冷却し、この後に装置１内部の略全域を冷却するように後方に流れ、最終的にはその大部分が光源ランプユニット８内を通って背後の排気ファン１６で排気される。従って、排気ファン１６の直前に光源ランプユニット８が配置されていることにより、その内部の光源装置１８３を大量の冷却空気で効率よく冷却することが可能である。
【００３８】
光学ユニット１０は、光源ランプユニット８から出射された光束を、光学的に処理して画像情報に対応した光学像を形成するユニットであり、照明光学系９２３、色分離光学系９２４、電気光学装置９２５、および色合成光学系としてのプリズムユニット９１０とを含んで構成される。電気光学装置９２５およびプリズムユニット９１０以外の光学ユニット１０の光学素子は、上下のライトガイド（図示せず）の間に上下に挟まれて保持された構成となっている。尚、これらの上ライトガイド、下ライトガイドは一体とされて、ロアーケース４の側に固定ネジにより固定されている。また、これらのライトガイドは、プリズムユニット９１０の側に同じく固定ネジによって固定されている。
【００３９】
直方体状のプリズムユニット９１０は、図５に示されるように、マグネシウムの一体成形品から構成される側面略Ｌ字状のヘッド体９０３の裏面側に固定ネジにより固定されている。また、電気光学装置９２５を構成する各液晶パネル９２５Ｒ、９２５Ｇ、９２５Ｂは、プリズムユニット９１０の３側面に固定部材を介して固定されている。
【００４０】
ドライバーボードは、電気光学装置９２５の各液晶パネル９２５Ｒ、９２５Ｇ、９２５Ｂを駆動・制御するためのものであり、光学ユニット１０の上方に配置される。
【００４１】
メインボードは、投写型表示装置１全体を制御する制御回路が形成されたものであり、前記ドライバーボードの上方に配置される。このようなメインボードは、前述のドライバーボードおよび操作パネル６０と電気的に接続される。
【００４２】
（４）光学系の構造
次に、投写型表示装置１の光学系即ち光学ユニット１０の構造について、図４に示す模式図に基づいて説明する。
【００４３】
上述したように、光学ユニット１０は、光源ランプユニット８からの光束（Ｗ）の面内照度分布を均一化する照明光学系９２３と、この照明光学系９２３からの光束（Ｗ）を、赤（Ｒ）、緑（Ｇ）、青（Ｂ）に分離する色分離光学系９２４と、各色光束Ｒ、Ｇ、Ｂを画像情報に応じて変調する電気光学装置９２５と、変調後の各色光束を合成する色合成光学系としてのプリズムユニット９１０とを含んで構成されている。
【００４４】
照明光学系９２３は、第１のレンズ板９２１と、その出射側に配置された第２のレンズ板９２２と、光源ランプユニット８から出射された光束Ｗの光軸１ａを装置１前方向に折り曲げる反射ミラー９３１とを備えている。
【００４５】
第１のレンズ板９２１は、マトリクス状に配置された複数の矩形レンズを有しており、光源から出射された光束を複数の部分光束に分割し、各部分光束を第２のレンズ板９２２の近傍で集光させる。
【００４６】
第２のレンズ板９２２は、マトリクス状に配置された複数の矩形レンズを有しており、第１のレンズ板９２１から出射された各部分光束を電気光学装置９２５を構成する液晶パネル９２５Ｒ、９２５Ｇ、９２５Ｂ（後述）上に重畳させる機能を有している。
【００４７】
このように、本例の投写型表示装置１では、照明光学系９２３により、液晶パネル９２５Ｒ、９２５Ｇ、９２５Ｂ上をほぼ均一な照度の光で照明することができるので、照度ムラのない投写画像を得ることができる。
【００４８】
色分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３から出射される光束Ｗに含まれている青色光束Ｂおよび緑色光束Ｇが直角に反射され、緑反射ダイクロイックミラー９４２の側に向かう。
【００４９】
赤色光束Ｒは、この青緑反射ダイクロイックミラー９４１を通過し、後方の反射ミラー９４３で直角に反射されて、赤色光束Ｒの出射部９４４からプリズムユニット９１０の側に出射される。
【００５０】
次に、青緑反射ダイクロイックミラー９４１で反射された青色、緑色光束Ｂ、Ｇのうち、緑反射ダイクロイックミラー９４２において、緑色光束Ｇのみが直角に反射されて、緑色光束Ｇの出射部９４５からプリズムユニット９１０側に出射される。
【００５１】
この緑反射ダイクロイックミラー９４２を通過した青色光束Ｂは、青色光束Ｂの出射部９４６からリレー光学系９２７の側に出射される。本例では、照明光学系９２３の光束Ｗの出射部から、色分離光学系９２４における各色光束Ｒ、Ｇ、Ｂの出射部９４４、９４５、９４６までの距離が全て等しくなるように設定されている。
【００５２】
色分離光学系９２４の赤色、緑色光束Ｒ、Ｇの出射部９４４、９４５の出射側には、それぞれ集光レンズ９５１、９５２が配置されている。従って、各出射部から出射した赤色、緑色光束Ｒ、Ｇは、これらの集光レンズ９５１、９５２に入射して平行化される。
【００５３】
このように平行化された赤色、緑色光束Ｒ、Ｇは、入射側偏光板９６０Ｒ、９６０Ｇを通って光変調装置である液晶パネル９２５Ｒ、９２５Ｇに入射して変調され、各色光に対応した画像情報が付加される。すなわち、これらの液晶パネル９２５Ｒ、９２５Ｇは、前述のドライバーボードによって画像情報に応じてスイッチング制御されて、これにより、ここを通過する各色光の変調が行われる。
【００５４】
一方、青色光束Ｂは、リレー光学系９２７を介して対応する液晶パネル９２５Ｂに導かれ、ここにおいて、同様に画像情報に応じて変調が施される。尚、本実施形態の液晶パネル９２５Ｒ、９２５Ｇ、９２５Ｂとしては、例えば、ポリシリコンＴＦＴをスイッチング素子として用いたものを採用することができる。
【００５５】
リレー光学系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、液晶パネル９２５Ｂの手前側に配置した集光レンズ９５３とから構成されており、集光レンズ９５３から出射した青色光束Ｂは、入射側偏光板９６０Ｂを通って液晶パネル９２５Ｂに入射して変調される。
【００５６】
この際、光束Ｗの光軸１ａおよび各色光束Ｒ、Ｂ、Ｂの光軸１ｒ、１ｇ、１ｂは同一平面内に形成されるようになる。そして、各色光束の光路の長さ、すなわち光源ランプ１８１から各液晶パネルまでの距離は、青色光束Ｂが最も長くなり、従って、この光束の光量損失が最も多くなる。しかし、リレー光学系９２７を介在させることにより、光量損失を抑制できる。
【００５７】
次に、各液晶パネル９２５Ｒ、９２５Ｇ、９２５Ｂを通って変調された各色光束Ｒ、Ｇ、Ｂは、出射側偏光板９６１Ｒ、９６１Ｇ、９６１Ｂを通ってプリズムユニット９１０に入射され、ここで合成される。そして、このプリズムユニット９１０によって合成されたカラー画像が投写レンズ６を介して所定の位置にある投写面１００上に拡大投写されるようになっている。
【００５８】
（５）光源ランプユニットの取出構造
図６において、樹脂製のリアケース５は、入出力端子群５１に対応した固定部５０１と、排気口１６０および受光部７０が設けられた光源ランプ交換蓋５０２とで構成されている。そのうちの光源ランプ交換蓋５０２は、下側の二本のビスを外し、上部二ヶ所の係止部５０３をアッパーケース３から外すことにより、装置１本体から容易に取り外して開けることが可能である。
【００５９】
このような光源ランプ交換蓋５０２には、図７に示されるように、排気ファン１６が一体に取り付けられている。すなわち、光源ランプ交換蓋５０２を装置１本体から外すと、排気ファン１６も一体となって外れ、装置１の後部側面には内部の光源ランプユニット８を臨む空間５０４が形成される。そして、この空間５０４を通して光源ランプユニット８を前後方向にスライドさせることで、光源ランプユニット８を装置１本体に対して着脱することが可能であり、交換できるようになっている。
【００６０】
また、光源ランプユニット８とその直前の電源ユニット７とは、ランプハウジング１８４上のコネクタ５０５と、図３に示す収容部５０７上に保持部材５０８で保持されたコネクタ５０６との嵌合によって電気的に接続されている。この際、各コネクタ５０５，５０６の互いの挿抜方向は、光源ランプユニット８のスライド方向と同じであり、光源ランプユニット８の着脱と各コネクタ５０５，５０６との挿抜とを同時に行えるようになっている。
【００６１】
さらに、電源ユニット７と排気ファン１６とは、図７、図８に示されるように、アッパーケース３の取付部５０９に取り付けられた回路基板５１０上の複数の板バネ式の端子５１１（図８に一つのみを図示）と、光源ランプ交換蓋５０２にビス止めされた回路基板５１２上の複数の導電パターン５１３との押圧接触によって電気的に接合されている。つまり、端子５１１および導電パターン５１３を含む各回路基板５１０，５１２や、これらに接続された電源ユニット７側のケーブル５１４および排気ファン１６側のケーブル５１５などで排気ファン１６への電力供給ラインが形成される。そして、この電力供給ラインは、光源ランプ交換蓋５０２と装置１本体との開閉に伴う端子５１１と導電パターン５１３との離間／接触によって遮断／導通されるようになっている。尚、各回路基板５１０，５１２にはＦＰＣ（フレキシブル・プリンテッド・ケーブル）５１６，５１７等も接続され、これらによって光源ランプ交換蓋５０２に設けられた受光部７０とメインボードとの信号伝送ラインを形成している。
【００６２】
そして、排気ファン１６の光源ランプ交換蓋５０２とは反対側には、径寸法の異なる複数のリング５１８（図３、図７において一つのみを図示）を網状に配置してなるファンガード５１９が設けてあり、光源ランプ交換蓋５０２と共に外された排気ファン１６の取り扱い上の安全性を向上させている。
【００６３】
（６）実施形態の効果
前述のような本実施形態によれば、以下のような効果がある。
【００６４】
すなわち、投写型表示装置１では、光源ランプユニット８に近接配置される排気ファン１６が光源ランプ交換蓋５０２に一体に取り付けられているので、光源ランプ交換蓋５０２を開けるだけで、これによって生じる空間５０４を通して光源ランプユニット８を容易に着脱できる。
【００６５】
また、装置１内には、光源ランプユニット８をスライドさせるための専用空間を別途設けておく必要がないから、光源ランプユニット８周辺には、排気ファン１６の他に電源ユニット７を構成する電源フィルタやＡＣインレットなどをより近接させた状態に配置でき、配置効率を向上させて装置１をより小型化できる。
【００６６】
また、光源ランプ交換蓋５０２を閉めた状態では、排気ファン１６が光源ランプユニット８に近接するから、光源ランプユニット８内の光源装置１８３を従来通りに効率よく冷却できる。
【００６７】
さらに、光源ランプ交換蓋５０２は、リアケース５の一部であって、外装ケース２の後部側面に設けられているので、複数の投写型表示装置１を重ねて用いるような場合において、一方の投写型表示装置１の光源ランプユニット８を交換する際に、光源ランプ交換蓋５０２を他方の投写型表示装置１に妨げられずに開閉できる。従って、各投写型表示装置１を重ねた状態のまま光源ランプ交換蓋５０２を開閉できるから、各投写型表示装置１を分けたり、再度重ねた後の調整作業等を不要にでき、光源ランプユニット８の交換作業を容易に行える。
【００６８】
また、光源ランプ交換蓋５０２は樹脂製であり、樹脂製であることにより同時に断熱性も有しているから、内側が高温になっても、その熱が外側に伝わりにくい。このため、光源ランプ交換蓋５０２が例えば熱伝導性が良好な金属製である場合には、より高温になり易い排気ファン１６を取り付けると、交換蓋５０２の外側まで熱くなって取り扱いに支障を来す場合があるが、光源ランプ交換蓋５０２を樹脂製とすることにより、そのような排気ファン１６を取り付けても、交換蓋５０２の外側が取り扱いに支障を来すほど熱くなる心配がない。
【００６９】
一方、光源ランプ交換蓋５０２を除く外装ケース２が金属製であるため、外装ケース２全体の剛性を大きくできる。
【００７０】
さらに、投写型表示装置１では、電源ユニット７と光源ランプユニット８との電気的な接続部分において、電源ユニット７側のコネクタ５０６と光源ランプユニット８側のコネクタ５０５との挿抜方向は、光源ランプユニット８のスライド方向と同じであるため、光源ランプユニット８の着脱と各コネクタ５０５，５０６の挿抜とを同時に行え、電源ユニット７と光源ランプユニット８との電気的な接続を容易かつ迅速に行える。
【００７１】
そして、電源ユニット７から排気ファン１６への電力供給ラインは、光源ランプ交換蓋５０２の開閉に応じて電気的に遮断／導通されるので、光源ランプ交換蓋５０２を開けると同時に排気ファン１６への電力供給ラインを遮断でき、光源ランプユニット８の交換作業中に誤って排気ファン１６が作動するのを確実に防止できる。また、光源ランプ交換蓋５０２を閉めるにあたり、コネクタ同士などの嵌合作業を不要にできる。
【００７２】
排気ファン１６には光源ランプ交換蓋５０２とは反対側にファンガード５１９が設けられているので、光源ランプユニット８の交換作業中（とりわけ光源ランプ交換蓋５０２の開閉中）の安全性を向上させることができる。
【００７３】
（７）実施形態の変形
尚、本発明は上述した実施形態に限定されるものではなく、以下に示すような変形をも含むものである。
【００７４】
例えば前記実施形態では、光源ランプユニット８側のコネクタ５０５と電源ユニット７側のコネクタ５０６との挿抜方向が、光源ランプユニット８のスライド方向と同じであったが、これに限らない。すなわち、各コネクタ５０５，５０６の挿抜方向をスライド方向と一致させなくともよく、光源ランプ交換蓋５０２を開けることで形成される空間５０４を利用することにより、それらのコネクタ５０５，５０６を確実に挿抜できるようにすればよい。しかし、前記挿抜方向と前記スライド方向とを同じにすることは、各コネクタ５０５，５０６の挿抜を光源ランプユニット８のスライドと同時に行えるという効果があるので好ましい。
【００７５】
また、前記実施形態においては、光源ランプ交換蓋５０２が装置後部の側面に設けられていたが、光源ランプ交換蓋５０２を、装置１の左の側面や右の側面、あるいは前面に設けてアッパーケース３やロアーケース４の一部を形成するようにしてもよい。さらには、光源ランプ交換蓋５０２を装置１の上面や下面に設けてアッパーケース３、ロアーケース４の一部を形成しするようにしてもよい。要するに、光源ランプ交換蓋５０２をどの位置に設けるかは、装置１内部における各部品のレイアウトなどを勘案して決定されればよく、任意である。
【００７６】
ただし、交換蓋５０２を装置１の上面や下面に設けると、複数の装置１を重ねて用いる場合に不都合が生じる可能性があるので、装置１の前、後、左、右、いずれかの側面に設けることが好ましい。
【００７７】
前記実施形態では、光源ランプ交換蓋５０２に排気ファン１６が取り付けられていたが、交換蓋５０２に取り付けられるファンとしては吸気ファンであってもよく、装置１内の冷却システムに応じて任意のファンを取り付けることが可能である。
【００７８】
さらに、前記実施形態では、電気光学装置９２５は、ＴＦＴ駆動の液晶パネル９２５Ｒ、９２５Ｇ、９２５Ｂから構成されていたが、これに限らず、他の駆動方式から構成される光変調装置を備えた投写型表示装置に本発明を採用してもよい。
【００７９】
そして、前記実施形態では、電気光学装置９２５は、３枚の液晶パネル９２５Ｒ、９２５Ｇ、９２５Ｂから構成されていたが、これに限らず、１枚、２枚の液晶パネルから構成される光変調装置に本発明を採用してもよい。
【００８０】
また、前記実施形態では、電気光学装置９２５を構成するパネルは液晶素子から構成されていたが、液晶以外のプラズマ素子、マイクロミラーを用いたデバイスパネルから構成される光変調装置を備えた投写型表示装置に本発明を採用してもよい。
【００８１】
さらに、前記実施形態における電気光学装置９２５は、光束Ｒ、Ｇ、Ｂを透過して変調する形式のものであったが、これに限らず、入射した光を反射しつつ変調して出射する反射型の光変調装置を備えた投写型表示装置に本発明を採用してもよい。
【００８２】
その他、本発明の実施の際の具体的な構造および形状等は、本発明の目的を達成できる範囲で他の構造等としてもよい。
【００８３】
【発明の効果】
前述のような本発明によれば、光源に元々近接配置されるファンが光源交換蓋に一体に取り付けられているため、光源交換蓋を開けるだけで、これによって生じる空間を通して光源を容易に着脱できる。また、装置内部においては、光源を交換するための専用空間を別途確保する必要がないため、光源周辺にファン以外の他の部品を近接配置でき、配置効率を向上させて装置をより小型化できる。また、光源交換蓋を閉めた状態では、従来と同様にファンが光源に近接されるから、光源を効率よく冷却できるという効果がある。
【図面の簡単な説明】
【図１】本発明の実施形態に係る投写型表示装置の上部から見た外観斜視図である。
【図２】前記実施形態における投写型表示装置の下部から見た外観斜視図である。
【図３】前記実施形態における投写型表示装置の内部構造を表す斜視図である。
【図４】前記実施形態における光学系の構造を説明するための模式図である。
【図５】前記実施形態の構成部品を示す斜視図である。
【図６】前記実施形態における投写型表示装置を後部から見た分解斜視図である。
【図７】前記実施形態の他の構成部品を示す斜視図である。
【図８】前記実施形態の要部を示す側面図である。
【符号の説明】
１  投写型表示装置
２  外装ケース
６  投写レンズ
７  電源である電源ユニット
１６  ファンである排気ファン
１６０  通気口である排気口
１８１  光源である光源ランプ
５０２  光源交換蓋である光源ランプ交換蓋
５０５  コネクタ
５０６  コネクタ
５１８  ファンガード
９２５  電気光学装置
【図１】
0003572982.tif 000002
【図２】
0003572982.tif 000003
【図３】
0003572982.tif 000004
【図４】
0003572982.tif 000005
【図５】
0003572982.tif 000006
【図６】
0003572982.tif 000007
【図７】
0003572982.tif 000008
【図８】
0003572982.tif 000009